【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
地理的領域に渡って複数の異なる位置にアンテナが置かれた協調型シグナリングＭＩＭＯ（Ｍｕｌｔｉｐｌｅ  Ｉｎｐｕｔ  Ｍｕｌｔｉｐｌｅ  Ｏｕｔｐｕｔ、多入力多出力）システムで使用するための方法であって、
前記システムが、複数の異なる協調型ＭＩＭＯコントローラと、前記コントローラのそれぞれに通信可能に結合され得る複数のアンテナとを備え、
前記方法が、
それぞれ異なる送信インスタンス（ｉｎｓｔａｎｃｅ）で、前記協調型シグナリングＭＩＭＯシステム内の１つ又は複数のアンテナを周波数及び／又は時間に渡って選択的にアクティブ化して、前記システム内の前記コントローラのそれぞれに使用できるアンテナのうちどのアンテナサブセットがアクティブであるか変化させるステップと、
選択的にアクティブ化される前記１つ又は複数のアンテナへの電力割当てを、アクティブなときに各アンテナに周波数及び／又は時間の関数として指定する電力パターン適用を含むステップと、
アンテナアクティブ化及び各送信時間に割り当てられたアンテナ電力割当てに従って各コントローラの制御下で協調型ＭＩＭＯ伝送を実施するステップとを含む方法。
【請求項２】
前記１つ又は複数のアンテナを選択的にアクティブ化するステップが、時間及び周波数のうちの１つ又は両方に渡って、異なる割当て間で切り換えるサブステップを含む、請求項１に記載の方法。
【請求項３】
時間及び周波数のうちの１つ又は両方に渡って前記電力パターンを変更するステップをさらに含む、請求項１に記載の方法。
【請求項４】
前記電力パターンが、２つ以上の地理的位置の所与のコントローラのアンテナにそれぞれ異なる時間又は周波数上で異なる電力レベルを使用させるように変更される、請求項３に記載の方法。
【請求項５】
前記電力パターンが、コントローラに関連するアンテナグループについて、アクティブアンテナの或るサブセットが、アクティブアンテナの別のサブセットより比例的に少ないアンテナ当たり電力を使用することを指定する、請求項１に記載の方法。
【請求項６】
前記アクティブアンテナ当たり電力レベル及びアンテナアクティブ化パターンが、同じ時間及び周波数上でアクティブなそれぞれ異なるアンテナグループによって異なることがあり、前記異なるグループのそれぞれがコントローラに関連付けられる、請求項１に記載の方法。
【請求項７】
各割当ての各アンテナの前記アンテナ当たり電力レベルが、周波数によって、又は時間スロットによって異なる、請求項１に記載の方法。
【請求項８】
前記協調型シグナリングＭＩＭＯシステム内の１つ又は複数のアンテナを選択的にアクティブ化するステップが、コントローラが物理的なアンテナを共有するが、それぞれ異なる時間及び／又は周波数リソース上で前記アンテナをアクティブ化する重複型アンテナセットシステムとして前記協調型シグナリングＭＩＭＯシステムが動作するように、またコントローラのクラスタに渡って補足的なアンテナアクティブ化パターンが生じるように、前記複数のアンテナグループの選択的なアクティブ化を調整するサブステップを含む、請求項１に記載の方法。
【請求項９】
各コントローラが所定のシーケンスで各パターンを確かめるように、パターンを割り当てるステップをさらに含む、請求項１に記載の方法。
【請求項１０】
１つ又は複数のアンテナを選択的にアクティブ化するステップが、少なくとも２つの異なるアンテナパターンをそれぞれ異なる時間にアクティブ化させ、前記少なくとも２つの異なるパターンが、各コントローラで複数のアンテナのどれがアクティブであるか、及び前記クラスタ内の各アクティブアンテナの前記電力を指定する、請求項１に記載の方法。
【請求項１１】
各コントローラ、及び関連する複数のアンテナ、複数の位置に置かれたアンテナについて、第１のパターンが、第１の周波数上で各位置の複数のアンテナのうちのどれがアクティブであるかを、各アンテナの電力レベルと共に指定し、第２のパターンが、第２の周波数上で各位置の第２の複数のアンテナのうちのどれがアクティブであるか、及び各アンテナの電力レベルを指定する、請求項１０に記載の方法。
【請求項１２】
３つ以上の周波数を使用してもよい、請求項１１に記載の方法。
【請求項１３】
少なくとも１つの或る時間又は周波数スロットにおいて、前記地理のエッジ近くの領域で多い数のアンテナと好ましい干渉状況の両方が確かめられるように、アンテナアクティブ化が、少なくとも、１つのコントローラのアンテナによってカバーされた前記地理的領域に渡って変化する、請求項１に記載の方法。
【請求項１４】
前記電力パターンの電力割当て、及びアクティブ化されているアクティブアンテナの割当てを適応させるステップをさらに含む、請求項１に記載の方法。
【請求項１５】
各クラスタにおいて、少なくとも２つのサイト（ｓｉｔｅ）の第１のセット上のアンテナが、第１の周波数上ですべてアクティブであり、当該第１のサイトセットとは異なる第２のサイトセットが、前記第１の周波数とは異なる第２の周波数上ですべてアクティブである、請求項１に記載の方法。
【請求項１６】
複数の協調型コントローラを備える協調型シグナリングＭＩＭＯシステムであって、
前記複数のコントローラそれぞれがアンテナセットを有し、
前記セット内の各アンテナが、割当てに従って、周波数及び／又は時間に渡って選択的にアクティブ化され、
それぞれのコントローラが、各アンテナを選択的にアクティブ化又は非アクティブ化する調整器を含み、
前記調整器は、前記調整器が選択的にアクティブ化又は非アクティブ化する前記１つ又は複数のアンテナへの電力割当てを、アクティブなときに各アンテナに周波数及び／又は時間の関数として指定する電力パターンを更に適用する、協調型シグナリングＭＩＭＯシステム。
【請求項１７】
前記１つ又は複数のアンテナを選択的にアクティブ化することが、時間及び周波数のうちの１つ又は両方に渡って、前記割当て間で切り換えることを含む、請求項１６に記載のシステム。
【請求項１８】
時間及び周波数のうちの１つ又は両方に渡って前記電力パターンを変更する、請求項１６に記載のシステム。
【請求項１９】
１つ又は複数のアンテナを選択的にアクティブ化することが、
複数の地理的位置に置かれた、コントローラに関連するアンテナのセットについて、第１のパターンが、第１の周波数上の各位置の複数のアクティブアンテナ、及びアクティブアンテナの各位置の電力レベルを指定し、第２のパターンが、第２の周波数上の第２の複数のアクティブアンテナ、及び各位置のアンテナの電力レベルを指定するように、少なくとも２つの異なるアンテナパターンをそれぞれ異なる時間にアクティブ化させる、請求項１６に記載のシステム。
【請求項２０】
前記システム内で複数の調整器によって実施される選択的なアクティブ化を制御するシステムコントローラをさらに備え、前記調整器のそれぞれが、クラスタ内の複数のコントローラのうちの１つにそれぞれが関連する前記複数のアンテナセットの前記アクティブ化を制御する、請求項１６に記載のシステム。
【請求項２１】
前記調整器が、それぞれの関連するアンテナを選択的にアクティブ化又は非アクティブ化するように動作可能であり、非アクティブ化が、アンテナをゼロ入力信号で駆動し、又はアンテナを停止することによって達成される、請求項１６に記載のシステム。
【請求項２２】
前記調整器が、前記電力パターンの電力割当て、及びアクティブ化されているアクティブアンテナの割当てを適応させるように動作可能である、請求項１６に記載のシステム。
【請求項２３】
各クラスタにおいて、少なくとも２つのサイトの第１のセット上のアンテナが、第１の周波数上ですべてアクティブであり、当該第１のサイトセットとは異なる第２のサイトセットが、前記第１の周波数とは異なる第２の周波数上ですべてアクティブである、請求項１６に記載のシステム。
【請求項２４】
１つ又は複数のコントローラによって実行されるとき、前記１つ又は複数のコントローラに、地理的領域に渡って複数の異なる位置にアンテナが置かれた協調型シグナリングＭＩＭＯシステムで使用するための方法を実施させる命令を格納する１つ又は複数のコンピュータ読取り可能な記憶媒体を有する製品であって、
前記システムが、複数の異なる協調型ＭＩＭＯコントローラと、前記コントローラのそれぞれに通信可能に結合され得る複数のアンテナとを備え、
前記方法が、
それぞれ異なる送信時間で、前記協調型シグナリングＭＩＭＯシステム内の１つ又は複数のアンテナを周波数及び／又は時間に渡って選択的にアクティブ化して、前記システム内の前記コントローラのそれぞれに使用できるアンテナのうちどのアンテナがアクティブであるか変化させるステップと、
選択的にアクティブ化される前記１つ又は複数のアンテナへの電力割当てを、アクティブなときに各アンテナに周波数及び／又は時間の関数として指定する電力パターン適用を含むステップと、
アンテナアクティブ化及び各送信時間に割り当てられたアンテナ電力割当てに従って各コントローラの制御下で協調型ＭＩＭＯ伝送を実施するステップとを含む、製品。